(57)【要約】【課題】例えば、店頭で提供された生ビールを家に持ち帰ってから飲むことを可能にする飲料容器を提供することを目的としている。【解決手段】液体飲料が収容される内側の密閉容器と４、前記密閉容器４の外側に配置される金属製の熱伝達部材８と、熱伝達部材８の外側面に接触するように配置されたペルチェ素子１０と、このペルチェ素子１０の外側を覆うように配置された外殻容器６とを備え、前記密閉容器４内に貯留された前記液体飲料を冷却状態で運搬、貯留することが可能にしたたことを特徴としている。【選択図】図１
2007230584.tif 000002
【特許請求の範囲】
【請求項１】
液体飲料が収容される内側の密閉容器と、
前記密閉容器の外側に配置される金属製の熱伝達部材と、前記熱伝達部材の外側面に接触するように配置されたペルチェ素子と、このペルチェ素子の外側を覆うように配置された外殻容器とを備え、前記密閉容器内に貯留された前記液体飲料を冷却状態で運搬、貯留することを可能にしたことを特徴とする飲料容器。
【請求項２】
前記ペルチェ素子には、放熱板が具備されていることを特徴とする請求項１に記載の飲料容器。
【請求項３】
前記外容器には、ポケット部が具備され、このポケット部内に貯留された冷却水により、前記ペルチェ素子からの放熱が促進されるようにしたことを特徴とする請求項１または２に記載の飲料容器。
【請求項４】
前記液体飲料は、炭酸飲料であることを特徴とする請求項１〜３のいずれかに記載の飲料容器。
【発明の詳細な説明】
【技術分野】
【０００１】
本発明は、飲料容器に関し、詳しくは、ビール、ジュースなどの液体飲料を良く冷えた状態で貯蔵あるいは運搬することを可能にする飲料容器に関する。
【背景技術】
【０００２】
一般に、良く冷やしてから飲むことが好まれるビール飲料は、缶や瓶などの容器で市場に流通されている。また、店頭などでは、炭酸ガスボンベを用いた特殊なビールサーバーを用いてジョッキで提供される場合もある（例えば、特許文献１）。
【０００３】
ところで、このように店頭で提供されるビールを、例えば、家あるいは近くの行楽地に持ち帰って飲みたい場合ある。このような場合に、これまで有用な容器は提供されていなかった。
【０００４】
一方、ビール飲料を屋外で飲みたい場合は、これまでクーラーなどの断熱容器で持運ぶことが一般に行なわれていた。このような場合に、氷とともに良く冷やしてから運搬したとしても、時間が経過すれば生ぬるくなってしまう。
【０００５】
さらに、少量のビールを、例えば散歩先で飲みたい場合がある。このような場合に、家から缶ビールを良く冷やしてから持ち出したとしても、散歩の後などでは生ぬるくなってしまう。
【特許文献１】特開２００１−３４８０９３号公報
【発明の開示】
【発明が解決しようとする課題】
【０００６】
本発明は、このような実情に鑑み、例えば、店頭で購入したビールを家に持ち帰って飲むことを可能にする飲料容器を提供することを目的としている。
また、本発明は、良く冷やしたビール飲料をクーラーなどで運搬し、生ぬるくなってしまった場合にも、手間をかけずに再度良く冷やしてから飲むことを可能にする飲料容器を提供することを目的としている。
【０００７】
さらに、本発明は、散歩先などで飲むために持ち出したビール飲料が生ぬるくなってしまった場合でも、散歩先で直ちに冷やしてから飲むことを可能にする飲料容器を提供することを目的としている。
【課題を解決するための手段】
【０００８】
上記目的を達成するための本発明に係る飲料容器は、液体飲料が収容される内側の密閉容器と、
前記密閉容器の外側に配置される金属製の熱伝達部材と、前記熱伝達部材の外側面に接触するように配置されたペルチェ素子と、このペルチェ素子の外側を覆うように配置された外殻容器とを備え、前記密閉容器内に貯留された前記液体飲料を冷却状態で運搬、貯留することを可能にしたことを特徴としている。
【０００９】
このような構成の本発明によれば、ペルチェ素子に電圧を印加することにより、金属製の外側容器が冷却され、これにより内部の液体飲料を冷却することができる。
ここで、本発明では、前記ペルチェ素子には、放熱板が具備されていることが好ましい。
【００１０】
このような構成であれば、放熱板側に蓄えられた熱を速やかに外部に逃がすことができる。
さらに、本発明では、前記外容器には、ポケット部が具備され、このポケット部内に貯留された冷却水により、前記ペルチェ素子からの放熱が促進されるようにしても良い。
【００１１】
また、本発明では、前記液体飲料は、ビール飲料に好ましく適用できる。
【発明の効果】
【００１２】
本発明に係るビール飲料容器では、ペルチェ素子の吸熱作用で直接内部のビール飲料を容易に冷却することができる。したがって、店頭でビールサーバーを介して注出された生ビールであっても、冷却状態のまま飲みたい場所に運搬することができる。さらに、屋外にビール飲料を持ち出したい場合に、この容器に移し替えて持ち運べば、現地に冷やした状態で運ぶことができる。また、缶ビールなどを行楽地などに持参した場合に、この容器があれば、現地でこの容器に移し替えれば、再び冷却することができる。
【００１３】
また、家庭においては、冷蔵庫が満杯状態である場合などに、この容器内に移せば、直ぐに冷えたビール飲料を飲むことができる。
【発明を実施するための最良の形態】
【００１４】
以下、本発明の実施例について図面を参照しながら詳細に説明する。
図１は、本発明の一実施例に係る飲料容器を示したものである。
この飲料容器２は、ビールや発泡酒などのいわゆるビール飲料、あるいはジュースなどを冷却するのに好適な容器である。容器本体２ａの大きさに制限はなく、本発明の効果を奏する程度において、必要に応じて様々な大きさとすることができるが、０．４リットルの液体飲料を入れることができる大きさ〜２０リットルの液体飲料を入れることができる大きさの範囲であることが好ましく、１リットルの液体飲料を入れることができる大きさ〜１０リットルの液体飲料を入れることができる大きさの範囲であることが更に好ましく、２リットルの液体飲料を入れることができる大きさ〜６リットルの液体飲料を入れることができる大きさの範囲であることが特に好まし。容器本体２ａの形状は、通常は筒状であり、略円筒状であることが好ましい。
【００１５】
この容器本体２ａは、図２に拡大して示したように、二重構造を奏するもので、内側の密閉容器４と外側の外殻容器６とを備えている。そして、内側の密閉容器４は、プラスチックなどの柔軟な樹脂からなるもので、内容物がビール飲料などの炭酸飲料では、内圧により柔軟なプラスチックバックを外殻容器内周面に密着させることができる。この密閉容器４内に溶液が密閉される。一方、外殻容器６は、容器本体２ａを自立させることができれば、アルミニウムなどの金属あるいはプラスチック製などであっても良い。また、外殻容器６の内周面には、熱伝導性の高い環状の熱伝達部材８が配置され、この熱伝達部材８に接するようにペルチェ素子１０が配置されている。このペルチェ素子１０は、電圧が印加されると一方の面で熱を奪い、他方の面からその熱を放熱する素子である。ペルチェ素子１０を配置する領域は、外側容器の略全体であっても良く、部分的であっても良い。
【００１６】
また、ペルチェ素子１０の外表面を覆う外殻容器６には、窓孔１２が多数形成され、これらの窓孔１２を介して外部に熱が放出される。
さらに、容器本体２ａには、図示していないが密閉可能な栓部材あるいは蓋部材が具備され、この栓部材あるいは蓋部材を介して内部にビール飲料を注いだり内部から取り出したりすることが可能にされている。また、これらの部分に直接口を当てて飲むようにしても良い。なお、容器本体２ａが大型である場合は、容器本体にスチール、アルミ、ガラス、ペットボトルを使用することができる、抽出器具には、例えばレバー式、炭酸ガスボンベ加圧式、あるいはポンプ式の外部注出器を設け、この注出器を操作することで内部の飲
料を取り出すことも可能である。
【００１７】
さらに、ペルチェ素子１０に通電する電源は、家庭用として用いる場合は、商用電源であっても良いが、持運び用として用いる場合は、乾電池、充電池、燃料電池、自動車のシガーライターなどを用いることが好ましい。
【００１８】
本実施例の飲料容器２は、上記のように構成されているが、以下に作用について説明する。
今、生ビールを店頭から持ち帰りたい場合に、ユーザーは、この飲料容器２を店頭に持ち込んで、所望とする生ビールを、直接この容器本体２ａ内に注いでもらう。こうして、生ビールが貯留されたら、その場でペルチェ素子１０に通電することが好ましい。これにより、運搬中の生ビールを冷却状態に保持することができる。なお、実施例のペルチェ素子１０は、容器本体２ａの中間部より上方に配置されているので、温度の高い部分から積極的に冷却することができる。冷却しながら持ち帰ったら、しばらく安静に保管し、その後、飲用すれば良い。飲み終えたら栓部材あるいは蓋体を開とし、内部を洗浄すれば、飲料容器２を繰り返し用いることができる。
【００１９】
このように、本実施例の飲料容器２は、生ビールを店頭から持ち帰って飲む場合に有効に利用できる。また、家にあるビールを、例えば、戸外で飲む場合にも適用可能である。この場合には、瓶あるいは缶のビール飲料を冷蔵庫で冷やしておき、その冷やした状態のビール飲料とともにこの容器２を持ち出して、飲む時点で本実施例の飲料容器２に移し替えれば良い。このようにすれば、クーラーなどの断熱容器がないとしても、良く冷えたビールを任意の場所で飲むことができる。
【００２０】
また、家庭にあるビール飲料が冷えておらず冷蔵庫内が満杯状態である場合などに、この容器２内に移し替えてペルチェ素子１０で冷却すれば、直ちに飲むことができる。
以上、本発明の一実施例について説明したが、本発明は上記実施例に何ら限定されない。
【００２１】
例えば、上記実施例では、外殻容器６に単に窓孔１２を設けたが、これに加えて、図３に示したように、この部分に放熱板１４を配置することもできる。これにより、ペルチェ素子１０で吸熱された熱を外部に積極的に放出することが促進される。
【００２２】
さらに、図４に示した外殻容器６のように、外側にポケット部１６を設け、このポケット部１６内に水を貯留すれば、ペルチェ素子１０の熱を積極的に冷却することができる。
また、上記実施例では、ビール飲料の冷却について説明したが、冷却可能な飲料は、ビール飲料に限定されず、例えば、ジュース、炭酸飲料などにも提供可能である。
【００２３】
さらに、上記実施例では、ペルチェ素子を冷却用として用いているが、加熱装置として用いることもできる。
また、上記実施例では、ビール飲料を液体のまま貯留するようにしているが、これに代え、缶ビールを缶ごと収容する容器として使用することもできる。その場合には、内側の密閉容器は不用で、外殻容器６を缶よりやや大きくすれば良い。
【図面の簡単な説明】
【００２４】
【図１】図１は、本発明の一実施例に係る飲料容器を示した概略斜視図である。
【図２】図２は図１の要部断面図である。
【図３】図３は本発明の他の実施例による飲料容器の要部断面図である。
【図４】図４は本発明のさらに他の実施例による飲料容器の要部段面図である。
【符号の説明】
【００２５】
２    飲料容器
２ａ  容器本体
４    密閉容器
６    外殻容器
８    熱電熱部材
１０  ペルチェ素子
１２  窓孔
１４  放熱板
１６  ポケット部
【図１】
2007230584.tif 000003
【図２】
2007230584.tif 000004
【図３】
2007230584.tif 000005
【図４】
2007230584.tif 000006